(57)【特許請求の範囲】
【請求項１】
患者が看護師を呼び出すためのナースコール子機と、
前記ナースコール子機が接続され、病室内のベッド近傍に設置されるプレート子機と、
前記ナースコール子機からの呼出を看護師に報知するために前記病室毎に設置された廊下灯と、
看護師が患者からの呼出に応対するためにナースステーションに設置されたナースコール親機と、
前記廊下灯および前記ナースコール親機に接続され、前記廊下灯や前記ナースコール親機を制御する制御装置と、
を備えたナースコールシステムであって、
前記廊下灯は、前記ナースコール子機からの呼出に応じて患者情報を表示する第一の表示部と、当該第一の表示部を制御する表示制御部を有し、
前記制御装置あるいは前記ナースコール親機は、前記ナースコール子機の割り付けに対応する異なる数の前記廊下灯における患者情報表示欄を有する複数の表示パターンを記憶する記憶部を有し、
前記記憶部は、各廊下灯のＩＤ情報、各廊下灯に接続可能な前記ナースコール子機の台数、各廊下灯に関連付けられた各病室内に実際に設置される前記ナースコール子機のＩＤ情報を管理する管理テーブルを記憶し、
前記制御装置は、前記各廊下灯に接続可能な前記ナースコール子機の台数と前記各病室内に実際に設置された前記ナースコール子機の台数とが一致しているかを判断し、不一致の場合には前記複数の表示パターンのうち特定の表示パターンにおいて実際に設置された前記ナースコール子機が割り付けられていない患者情報表示欄を非表示とすることを特徴とする、ナースコールシステム。
【請求項２】
前記ナースコール親機は第二の表示部を備え、
前記制御装置は、前記廊下灯の前記第一の表示部における前記患者情報表示欄の非表示に基づき、前記ナースコール親機の前記第二の表示部における患者情報の表示態様を設定することを特徴とする、請求項１に記載のナースコールシステム。
【発明の詳細な説明】
【技術分野】
【０００１】
本発明は、病院で用いられるナースコールシステムにおいて、特に廊下灯に関するものである。
【背景技術】
【０００２】
特許文献１は、ナースコール親機と、ナースコール子機と、廊下灯と、を有するナースコールシステムに係る発明であって、ナースコール子機からの呼び出しが成されたら、廊下灯に設けられた液晶表示部において呼出操作をした患者に対応する患者表示領域を識別可能とする表示動作をするとともに当該患者表示領域において呼出操作をした患者の氏名を非表示とする制御を行うことが開示されている。
【先行技術文献】
【特許文献】
【０００３】
【特許文献１】特開２００７‐２９５４３号公報
【発明の概要】
【発明が解決しようとする課題】
【０００４】
しかしながら、上記特許文献１に開示のナースコールシステムにおいては、病室内のベッド数に応じて液晶表示部に表示される患者表示領域の表示パターンは固定されており、病室内におけるベッドレイアウトに対応した液晶表示部の表示を行うことができない場合があった。
【０００５】
そこで、本発明は、廊下灯において病室内のベッドレイアウトに対応した患者情報の表示が可能なナースコールシステムを提供することを目的とする。
【課題を解決するための手段】
【０００６】
上記目的を達成するため、本発明のナースコールシステムは、
患者が看護師を呼び出すためのナースコール子機と、
前記ナースコール子機が接続され、病室内のベッド近傍に設置されるプレート子機と、
前記ナースコール子機からの呼出を看護師に報知するために前記病室毎に設置された廊下灯と、
看護師が患者からの呼出に応対するためにナースステーションに設置されたナースコール親機と、
前記廊下灯および前記ナースコール親機に接続され、前記廊下灯や前記ナースコール親機を制御する制御装置と、
を備えたナースコールシステムであって、
前記廊下灯は、前記ナースコール子機からの呼出に応じて患者情報を表示する第一の表示部と、当該第一の表示部を制御する表示制御部を有し、
前記制御装置あるいは前記ナースコール親機は、前記ナースコール子機の割り付けに対応する異なる数の患者情報表示欄を有する複数の表示パターンを記憶する記憶部を有し、
前記制御装置は、前記記憶部に記憶された前記複数の表示パターンのうち特定の表示パターンにおいて前記ナースコール子機の割り付け設定がされていない患者情報表示欄を非表示とする制御を行うことを特徴とする。
【０００７】
このようなナースコールシステムによれば、廊下灯の第一の表示部において病室内のベッドレイアウトに対応した患者情報の表示が可能となり、患者情報の視認性を向上させることができる。
【０００８】
また、本発明のナースコールシステムにおいて、
前記記憶部は、各廊下灯のＩＤ情報、各廊下灯に接続可能な前記ナースコール子機の台数、各廊下灯に関連付けられた各病室内に実際に設置される前記ナースコール子機のＩＤ情報を管理する管理テーブルを記憶し、
前記制御装置は、各廊下灯に接続可能な前記ナースコール子機の台数と実際に設置された前記ナースコール子機の台数とが一致しているかを判断し、不一致の場合には前記特定の表示パターンにおいて前記ナースコール子機が割り付けられていない患者情報表示欄を非表示とすることが好ましい。
【０００９】
この構成によれば、管理テーブルでナースコール子機の接続可能台数と実際の接続台数との一致／不一致情報等を管理することにより、特定の表示パターンにおける患者情報表示欄の非表示設定を容易に行うことができる。
【００１０】
また、本発明のナースコールシステムにおいて、
前記ナースコール親機は第二の表示部を備え、
前記制御装置は、前記廊下灯の前記第一の表示部における前記患者情報表示欄の非表示に基づき、前記ナースコール親機の前記第二の表示部における患者情報の表示態様を設定することが好ましい。
【００１１】
この構成によれば、廊下灯での患者情報表示欄の非表示設定に応じてナースコール親機の表示部における情報の表示を連動させることで効率的なシステム設定を行うことができる。
【発明の効果】
【００１２】
本発明のナースコールシステムによれば、廊下灯において病室内のベッドレイアウトに対応した患者情報の表示が可能となる。
【図面の簡単な説明】
【００１３】
【図１】本発明の実施形態に係るナースコールシステムの構成図である。
【図２】図１のナースコールシステムが備える液晶廊下灯の機能ブロック図である。
【図３】図１の制御装置の位置関連情報記憶部に記憶された管理テーブルおよび廊下灯表示パターンの一例を示す図である。
【図４】（ａ）は、３床の病室のレイアウトを示す概略図であり、（ｂ）は、当該３床の病室に設けられた液晶廊下灯の表示の一例を示す図である。
【発明を実施するための形態】
【００１４】
以下、本実施形態の一例について、図面を参照して説明する。
【００１５】
図１は、本発明の実施形態に係るナースコールシステムの構成図である。
図１に示すように、ナースコールシステム１００は、患者が看護師を呼び出すためのナースコール子機１０と、ナースコール子機１０が接続され病室内のベッド近傍の壁面に設置されるプレート子機１５と、病室近傍の廊下壁面に設置される液晶廊下灯３０（廊下灯の一例）と、液晶廊下灯３０および後述するナースコール親機５０に接続され、ナースコール子機１０や液晶廊下灯３０、ナースコール親機５０等の各機器を制御する制御装置４０と、ナースステーションに設置され看護師が患者からの呼出に応対するためのナースコール親機５０と、を備えている。ナースコール親機５０は、各種情報を表示する大型のディスプレイ５１（第二の表示部の一例）を備えている。ナースコールシステム１００は、さらに、制御装置４０に接続され、看護師が携行する携帯端末６０の通話接続を制御するためのＩＰ交換機（ＩＰ  ＰＢＸ）７０と、携帯端末６０とＩＰ交換機７０との間で無線通信を行う基地局７１とを備えている。
【００１６】
本実施形態において、病室Ｒ１内には４床のベッドがあり、各床にそれぞれナースコール子機１０およびプレート子機１５が配置されている。すなわち、病室Ｒ１内には４セットのナースコール子機１０およびプレート子機１５が設けられており、各プレート子機１５が病室Ｒ１近傍の廊下壁面に設置された液晶廊下灯３０と通信可能に接続されている。また、病室Ｒ１とは異なる病室Ｒ２には、３床のベッドがあり、各床にそれぞれナースコール子機１０およびプレート子機１５が配置されている。すなわち、病室Ｒ２内には３セットのナースコール子機１０およびプレート子機１５が設けられており、各プレート子機１５が病室Ｒ２近傍の廊下壁面に設置された液晶廊下灯３０と通信可能に接続されている。
【００１７】
図１に示すように、制御装置４０は、記憶部４１と、制御装置４０を制御する制御装置ＣＰＵ４２とを備えている。記憶部４１は、患者関連情報を記憶する患者関連情報記憶部４１ａと、患者の位置関連情報を記憶する位置関連情報記憶部４１ｂとを備えている。患者関連情報記憶部４１ａには、患者の氏名や年齢等の患者情報や、患者の看護区分や診療科目等の看護情報、ナースコール子機１０の子機ＩＤと患者情報との関係等が記憶されている。また、位置関連情報記憶部４１ｂには、後述の管理テーブル等が記憶されている。
【００１８】
図２は、液晶廊下灯３０の機能ブロック図である。
図２に示すように、液晶廊下灯３０は、ナースコール子機１０からの呼出に対して患者情報を表示するためのモニタ３１（第一の表示部の一例）と、モニタ３１を制御するための表示制御部３２と、を備えている。液晶廊下灯３０は、さらに、呼出操作に応じて点滅あるいは点灯する（呼出）表示灯３３と、各種情報の表示／非表示を行うための操作ボタン３４と、スタッフコール等の呼出に対して復旧操作するための復旧ボタン３５と、モニタ３１に表示する情報を記憶する記憶部３６とを備えている。表示制御部３２、表示灯３３、操作ボタン３４、復旧ボタン３５および記憶部３６は、廊下灯ＣＰＵ３７によって制御されている。表示制御部３２および廊下灯ＣＰＵ３７は、通信インタフェース３８およびＨＵＢを介して、制御装置４０と通信可能となっている。なお、本例では、制御装置４０の患者関連情報記憶部４１ａおよび位置関連情報記憶部４１ｂに記憶された情報（後述の図３に示される管理テーブル等の情報）は、制御装置４０から通信インタフェース３８に定期的に送信され、記憶部３６に記憶される。
【００１９】
図３は、制御装置４０の位置関連情報記憶部４１ｂに記憶された管理テーブルと、当該管理テーブルに対応する廊下灯表示パターンの一例を示している。
図３の管理テーブルに示すように、位置関連情報記憶部４１ｂには、各液晶廊下灯３０の「廊下灯ＩＤ」と、各液晶廊下灯３０に接続可能なナースコール子機１０の台数を示す「ナースコール子機接続可能台数」と、実際に各液晶廊下灯３０に接続されているナースコール子機１０の「子機ＩＤ」と、各廊下灯に対応する「廊下灯表示パターン」Ｐ１〜Ｐ１０とが記憶されている。なお、図３に示す管理テーブルの他に、位置関連情報記憶部４１ｂには、各プレート子機１５のＩＤ（プレート子機ＩＤ）と位置情報であるベッド番号や病室番号の関係、子機ＩＤとプレート子機ＩＤとの関係、廊下灯ＩＤと病室番号との関係等が記憶されている。さらに、位置関連情報記憶部４１ｂには、ナースコール親機５０のディスプレイ５１に病棟レイアウトに合わせて患者情報を表示するための病棟レイアウトが記憶されている。
【００２０】
例えば、「廊下灯ＩＤ：１」の液晶廊下灯３０は、接続可能なナースコール子機台数が１台であり、実際に接続されているナースコール子機１０は１台（子機ＩＤ：０００１）である。また、「廊下灯ＩＤ：５」の液晶廊下灯３０は、接続可能なナースコール子機台数が４台であり、実際に接続されているナースコール子機１０は４台（子機ＩＤ：００１０〜００１３）である。さらに、「廊下灯ＩＤ：８：の液晶廊下灯３０は、接続可能なナースコール子機台数が６台であり、実際に接続されているナースコール子機１０は６台（子機ＩＤ：００２１〜００２６）である。このように、管理テーブルにおいて、廊下灯ＩＤ：１〜６、８の液晶廊下灯については、接続可能なナースコール子機の台数と実際に接続されているナースコール子機の台数とが一致している。一方、「廊下灯ＩＤ：７」の液晶廊下灯３０は、接続可能なナースコール子機台数が４台であるが、実際に接続されているナースコール子機１０は３台（子機ＩＤ：００１８〜００２０）である。また、「廊下灯ＩＤ：９」の液晶廊下灯３０は、接続可能なナースコール子機台数が４台であるが、実際に接続されているナースコール子機１０は２台（子機ＩＤ：００２７、００２８）である。さらに、「廊下灯ＩＤ：１０」の液晶廊下灯３０は、接続可能なナースコール子機台数が３台であるが、実際に接続されているナースコール子機１０は２台（子機ＩＤ：００２９、００３０）である。このように、管理テーブルにおいて、廊下灯ＩＤ：７、９、１０の液晶廊下灯については、接続可能なナースコール子機の台数と実際に接続されているナースコール子機の台数とが一致していない。
【００２１】
ところで、従来は、各液晶廊下灯に表示されるべき患者情報表示欄の数に応じて、各患者情報表示欄ができるだけ大きく表示されるように表示パターンが設定されていた（例えば、表示パターンＰ１〜Ｐ６、Ｐ８参照）。すなわち、病室内のベッド数に応じて液晶廊下灯のモニタに表示される患者情報表示欄の表示パターンは固定されており、病室内におけるベッドレイアウトに対応する表示を行うことができない場合があった。
【００２２】
このような課題を解決するため、本実施形態においては、制御装置４０は、各液晶廊下灯３０に接続可能なナースコール子機台数と実際に接続されているナースコール子機台数とが一致しているか否かを判断し、接続可能台数と実際の接続台数との一致・不一致に応じて表示パターンを変更するように制御している。例えば、廊下灯ＩＤ：１〜６、８の液晶廊下灯３０のように接続可能なナースコール子機台数と実際に接続されているナースコール子機台数とが一致している場合には、制御装置４０は、従来と同様に、患者情報表示欄の数に応じて各表示欄ができるだけ大きく表示されるような表示パターンＰ１〜Ｐ６、Ｐ８を設定する。一方、廊下灯ＩＤ：７、９、１０の液晶廊下灯３０のように接続可能なナースコール子機台数と実際に接続されているナースコール子機台数とが一致していない場合には、制御装置４０は、複数の表示パターンのうち接続可能なナースコール子機台数に応じた特定の表示パターンを選択するとともに、当該特定の表示パターンにおいてナースコール子機１０の割り付け設定がされていない患者情報表示欄を非表示とする。例えば、制御装置４０は、廊下灯ＩＤ：７の液晶廊下灯３０については、接続可能なナースコール子機台数が４台であるため４床用の表示パターンを選択するとともに、実際に接続されているナースコール子機のＩＤ（００１８〜００２０）を読み取って、ナースコール子機１０の割り付け設定がされていない患者情報欄を非表示とする表示パターンＰ７を設定する。また、制御装置４０は、廊下灯ＩＤ：９の液晶廊下灯３０においては、接続可能なナースコール子機台数が４台であるため４床用の表示パターンを選択するとともに、実際に接続されているナースコール子機のＩＤ（００２７，００２８）を読み取って、ナースコール子機１０の割り付け設定がされていない患者情報欄を非表示とする表示パターンＰ９を設定する。また、制御装置４０は、廊下灯ＩＤ：１０の液晶廊下灯３０においては、接続可能なナースコール子機台数が３台であるため３床用の表示パターンを選択するとともに、実際に接続されているナースコール子機のＩＤ（００２９，００３０）を読み取って、ナースコール子機１０の割り付け設定がされていない患者情報欄を非表示とする表示パターンＰ１０を設定する。
【００２３】
このような構成のナースコールシステム１００の初期設定および初期登録について、以下説明する。
例えば、ナースコールシステム１００の施工時に、初期設定が行われる。制御装置４０の患者関連情報記憶部４１ａには、患者情報（ナースコール子機１０の子機ＩＤと患者情報との関係を含む）や看護情報等の情報が登録される。また、制御装置４０の位置関連情報記憶部４１ｂには、プレート子機１５の位置（すなわち、各病室におけるベッドレイアウト）、液晶廊下灯３０の位置（廊下灯ＩＤ）等から構成される病棟レイアウト情報や、各液晶廊下灯３０に対するナースコール子機１０の接続可能台数（廊下灯ＩＤ毎の子機接続可能台数）等が登録される。これらの情報は、システム施工時に制御装置４０に接続される図示しないパーソナルコンピュータやサーバ等から送信され得る。
【００２４】
初期設定が終了したら、各ナースコール子機１０を病室のベッドレイアウト（ベッド位置）に合わせて設けられた各プレート子機１５に差し込む。これにより、制御装置４０において初期登録が開始される。具体的には、ナースコール子機１０がプレート子機１５に差し込まれると、プレート子機１５はナースコール子機１０と通信してナースコール子機１０から子機ＩＤ情報を受信し、受信した子機ＩＤに自身のＩＤ（プレート子機ＩＤ）を付加した子機登録信号を生成して液晶廊下灯３０へ送信する。
【００２５】
各病室近傍に設置された液晶廊下灯３０の廊下灯ＣＰＵ３７は、プレート子機１５から子機登録信号を受信する。廊下灯ＣＰＵ３７は、受信した子機登録信号に自身の廊下灯ＩＤの情報を付加した初期登録信号を、通信インタフェース３８を介して制御装置４０の制御装置ＣＰＵ４２へ送信する。
【００２６】
初期登録信号を受けた制御装置４０の制御装置ＣＰＵ４２は、初期登録信号から廊下灯ＩＤを読み取って、位置関連情報記憶部４１ｂの情報を参照して液晶廊下灯３０の位置を特定する。また、制御装置ＣＰＵ４２は、初期登録信号からプレート子機ＩＤを読み取って、位置関連情報記憶部４１ｂの情報を参照して液晶廊下灯３０に接続されているプレート子機１５の位置を特定する。また、制御装置ＣＰＵ４２は、ナースコール子機１０の子機ＩＤを読み取って患者関連情報記憶部４１ａの情報を参照して患者を特定する。このように、制御装置ＣＰＵ４２は、位置関連情報記憶部４１ｂの管理テーブルを参照して、液晶廊下灯３０の廊下灯ＩＤおよび位置、接続可能なナースコール子機台数、液晶廊下灯３０に実際に接続されている（病室内に実際に設置されている）ナースコール子機１０の子機ＩＤおよび位置を認識し、各液晶廊下灯３０に対してベッドレイアウトに応じた表示パターンを設定して初期登録を完了する。具体的には、制御装置ＣＰＵ４２は、各液晶廊下灯３０に接続可能なナースコール子機１０の台数に基づき所定の表示パターンを選択し、各液晶廊下灯３０に接続可能なナースコール子機１０の台数と実際に設置されたナースコール子機１０の台数とが一致しているかを判断する。ナースコール子機１０の台数が不一致の場合には、制御装置ＣＰＵ４２は、選択した所定の表示パターンにおいて病室内に実際に設置されたナースコール子機１０が割り付けられていない患者情報表示欄を非表示とし、当該表示パターンを各液晶廊下灯３０の廊下灯ＩＤと関連付けて位置関連情報記憶部４１ｂに記憶する。
その後、制御装置ＣＰＵ４２は、患者関連情報記憶部４１ａに記憶された患者情報や位置関連情報記憶部４１ｂに記憶された表示パターンを液晶廊下灯３０に送信する。
【００２７】
また、制御装置ＣＰＵ４２は、位置関連情報記憶部４１ｂに記憶されている病棟レイアウト情報をナースコール親機５０へ送信する。病棟レイアウト情報を受信したナースコール親機５０は、ディスプレイ５１に病棟レイアウトを表示する。このレイアウト上の個々のベッド位置には、患者氏名等の患者情報が合わせて表示される。
こうして初期設定および初期登録が終了したら、ナースコールシステム１００は、患者からの呼び出しを待つ待受状態となる。
【００２８】
以下、３床用の病室を一例として、液晶廊下灯３０に表示される表示パターンの例を説明する。図４（ａ）は、３床の病室のレイアウトを示す概略図であり、図４（ｂ）は、当該３床の病室に設けられた液晶廊下灯の表示の一例を示す図である。
図４（ａ）に示すように、病室Ｒ２内には３つのベッドＢ１〜Ｂ３が配置されているとともに、入り口近傍の右側には例えばトイレが設置されている。すなわち、この病室Ｒ２は、本来であればベッド４床用の病室としてベッドを４台配置することも可能であるが、ベッド１床分の代わりにトイレが設置されている。各ベッドＢ１〜Ｂ３の近傍の壁面にはナースコール子機１０が接続されたプレート子機１５が設置されている。ナースコール子機１０には、関連付けられている各ベッドＢ１〜Ｂ３に応じて、それぞれ子機ＩＤが割り当てられている。ここで、ベッドＢ１用のナースコール子機１０の子機ＩＤは「００１８」、ベッドＢ２用のナースコール子機１０の子機ＩＤは「００１９」、ベッドＢ３用のナースコール子機１０の子機ＩＤは「００２０」とする。病室Ｒ２の入り口近傍の廊下には液晶廊下灯３０が設置されている。この液晶廊下灯３０については、位置関連情報記憶部４１ｂの管理テーブルで、接続可能な子機台数が４台として登録されている。
【００２９】
図４（ａ）に示す例の場合には、各ナースコール子機１０（ＩＤ：００１８〜００２０）が病室Ｒ２のベッドレイアウトに合わせてベッドＢ１〜Ｂ３の近傍に設置された各プレート子機１５に差し込まれている。液晶廊下灯３０の廊下灯ＣＰＵ３７は、各プレート子機１５から各ナースコール子機１０の子機ＩＤ情報（ＩＤ：００１８〜００２０）やプレート子機ＩＤを含む子機登録信号を受信し、当該子機登録信号に自身の廊下灯ＩＤを付加した初期登録信号を制御装置４０の制御装置ＣＰＵ４２へ送信する。初期登録信号を受信した制御装置ＣＰＵ４２は、位置関連情報記憶部４１ｂに記憶された管理テーブル（図３参照）を参照して、初期登録信号に基づく情報を登録する。具体的には、制御装置ＣＰＵ４２は、管理テーブルにおいて、病室Ｒ２に対応する液晶廊下灯３０の廊下灯ＩＤ「７」の欄に、当該液晶廊下灯３０に接続されているナースコール子機１０の子機ＩＤ「００１８〜００２０」を登録する。そして、制御装置ＣＰＵ４２は、ＩＤ：７の液晶廊下灯３０に接続可能なナースコール子機台数（４台）から４床用の表示パターンを選択し、実際に接続されているナースコール子機１０の子機ＩＤからベッドレイアウトに応じた表示パターンを設定する。具体的には、図４（ａ）に示される病室Ｒ２の場合には、（４つの患者情報表示欄が２行２列で配列される）４床用の表示パターンを選択し、当該４床用の表示パターンにおいてナースコール子機１０が接続されていない患者情報表示欄を非表示とする制御を行うことで、図３の表示パターンＰ７を設定する。そして、制御装置ＣＰＵ４２は、設定された表示パターンＰ７を病室Ｒ２の液晶廊下灯３０に送信する。
【００３０】
上記のように特定の表示パターンＰ７が設定された病室Ｒ２の液晶廊下灯３０について、図４（ｂ）を参照して、患者から呼出がなされた時の動作を以下説明する。なお、患者が看護師を呼び出すためにナースコール子機１０を操作することにより行われる液晶廊下灯３０での報知、ナースコール親機５０や携帯端末６０での報知および通話等については従来と同様であるため、詳細は省略するものとし、以下の動作は液晶廊下灯３０の動作を中心に説明する。
【００３１】
待ち受け状態では、液晶廊下灯３０のモニタ３１は消灯した状態である。
ベッドＢ２の患者がベッドＢ２近傍のプレート子機１５に接続されたナースコール子機１０（ＩＤ：００１９）で呼出操作を行うと、液晶廊下灯３０の表示灯３３が点滅するとともに、モニタ３１には表示パターンＰ７が表示される。図４（ｂ）に示すように、表示パターンＰ７は、病室Ｒ２のベッドレイアウトに応じた表示であって、患者情報表示欄Ａ１〜Ａ３を含んでいる。すなわち、モニタ３１の左側には、ベッドＢ１に対応する患者情報表示欄Ａ１とベッドＢ２に対応する患者情報表示欄Ａ２が上下に配置され、モニタ３１の右側にはベッドＢ３に対応する患者情報表示欄Ａ３が上側に（患者情報表示欄Ａ１と並列して）配置されている。このとき、モニタ３１には、呼出を行ったベッドＢ２の患者に対応した患者情報表示欄Ａ２に当該患者に関する患者情報が表示されるが、他の患者の患者情報表示欄Ａ１，Ａ３にはマスクがかけられた状態となり、患者情報表示欄Ａ１，Ａ３には患者情報が表示されることはない。これにより、患者のプライバシーの保護を図ることができる。
【００３２】
以上説明したように、本実施形態に係るナースコールシステム１００においては、液晶廊下灯３０は、ナースコール子機１０からの呼出に応じて患者情報を表示するモニタ３１と、モニタ３１を制御する表示制御部３２を有している。そして、制御装置４０は、ナースコール子機１０の割り付けに対応する異なる数の患者情報表示欄を有する複数の表示パターンＰ１〜Ｐ１０を記憶する記憶部４１を有し、複数の表示パターンＰ１〜Ｐ１０のうち特定の表示パターンにおいてナースコール子機１０の割り付け設定がされていない患者情報表示欄を非表示とする制御を行う。このようなナースコールシステム１００の構成によれば、液晶廊下灯３０において病室内のベッドレイアウトに対応した患者情報の表示が可能となり、患者情報の視認性を向上させることができる。
【００３３】
また、制御装置４０の記憶部４１は、各廊下灯３０のＩＤ情報、各廊下灯３０に接続可能なナースコール子機１０の台数、各廊下灯３０に関連付けられた各病室内に実際に設置されるナースコール子機１０のＩＤ情報を管理する管理テーブルを記憶し、制御装置４０は、各廊下灯３０に接続可能なナースコール子機１０の台数と実際に設置されたナースコール子機１０の台数とが一致しているかを判断し、不一致の場合には特定の表示パターンにおいて実際に病室内に設置されたナースコール子機１０が割り付けられていない患者情報表示欄を非表示とすることが好ましい。この構成によれば、管理テーブルで各廊下灯３０へのナースコール子機１０の接続可能台数と実際の接続台数との一致／不一致情報等を管理することにより、特定の表示パターンにおける患者情報表示欄の非表示設定を容易に行うことができる。
【００３４】
また、ナースコール親機５０はディスプレイ５１を備え、制御装置４０は、液晶廊下灯３０のモニタ３１における患者情報表示欄の非表示設定に基づき、ナースコール親機５０のディスプレイ５１における患者情報の表示態様を設定することが好ましい。この構成によれば、液晶廊下灯３０での患者情報表示欄の非表示設定に応じてナースコール親機５０における情報の表示を連動させることで効率的なシステム設定を行うことができる。
【００３５】
以上、本発明を詳細にまた特定の実施態様を参照して説明したが、本発明の精神と範囲を逸脱することなく様々な変更や修正を加えることができることは当業者にとって明らかである。
【００３６】
上記実施の形態においては、患者関連情報記憶部４１ａや管理テーブルを含む位置関連情報記憶部４１ｂは、制御装置４０の記憶部４１に含まれる構成となっているが、ナースコール親機５０が備える記憶部（図示省略）に含まれる構成としても良い。
【００３７】
また、上記実施の形態においては、ナースコールシステム１００の施工時に行われる初期設定および初期登録において、各液晶廊下灯３０に対してベッドレイアウトに応じた表示パターンが設定されるが、この例に限られない。システム施工時だけでなく、ベッドレイアウトが変更された場合にも、制御装置４０は、変更されたレイアウトに応じて、各液晶廊下灯３０の表示パターンを設定することができる。
【００３８】
また、上記実施の形態においては、各廊下灯３０に接続可能なナースコール子機１０の台数と実際に設置されたナースコール子機１０の台数とが不一致の場合には特定の表示パターンにおいて実際に病室内に設置されたナースコール子機１０が割り付けられていない患者情報表示欄を非表示とする構成としているが、この例に限られない。例えば、図３の廊下灯ＩＤ：２の液晶廊下灯３０の例において、病室内の左側に２台のベッドが配置され、右側にトイレや浴室等の共用設備が配置されているとする。この場合には、当該液晶廊下灯３０に接続可能なナースコール子機１０の台数と病室内に実際に設置されたナースコール子機１０の台数とがともに２台で一致していたとしても、ナースコールシステム１００の初期設定時に図３の表示パターンＰ５，Ｐ６を選択するとともに当該表示パターンＰ５，Ｐ６において右側の２つの患者情報表示欄を非表示とし、図３の表示パターンＰ９のように表示させることもできる。
【００３９】
また、上記実施の形態においては、患者関連情報記憶部４１ａに登録される患者関連情報や位置関連情報記憶部４１ｂに登録される位置関連情報は、システム施工時等に制御装置４０に接続されるパーソナルコンピュータやサーバ等から送信される構成となっているがこの例に限られない。例えば、これらの情報は、ナースコールシステムに接続される不図示のオーダリングシステムから送信されても良い。オーダリングシステムは、各患者の患者情報を含む病院に関する情報を一括して管理するものであり、例えば施設の管理室等の所定の場所に設置されている。
【符号の説明】
【００４０】
１０：ナースコール子機、１５：プレート子機、３０：液晶廊下灯（廊下灯の一例）、３１：モニタ（第一の表示部の一例）、３２：表示制御部、３３：（呼出）表示灯、３６：記憶部、３７：廊下灯ＣＰＵ、３８：通信インタフェース、４０：制御装置、４１：記憶部、４１ａ：患者関連情報記憶部、４１ｂ：位置関連情報記憶部、５０：ナースコール親機、５１：ディスプレイ（第二の表示部の一例）、６０：携帯端末、７０：ＩＰ交換機（ＩＰ  ＰＢＸ）、７１：基地局、１００：ナースコールシステム
【図１】
0006629623.tif 000002
【図２】
0006629623.tif 000003
【図３】
0006629623.tif 000004
【図４】
0006629623.tif 000005